【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
コーナキャビネット（１１）であって、
扉開口部（２５）を備えたキャビネット本体（１３）と、
前記扉開口部（２５）を閉鎖する閉位置（２８）と前記キャビネット本体（１３）の内部空間（２４）へのアクセスを可能にする開位置（２９）との間で旋回可能に前記キャビネット本体（１３）に支持されたコーナキャビネット扉（２７）であって、前記コーナキャビネット扉（２７）は、折畳み式扉として形成されており、前記扉開口部（２５）の近傍において扉軸受装置（３１）によって扉旋回軸線（６０）を中心に旋回可能に前記キャビネット本体（１３）に支持されている第１扉要素（３０）と、旋回軸受手段（３３）を介して旋回可能に前記第１扉要素（３０）に支持されている第２扉要素（３２）とを備える、コーナキャビネット扉（２７）と、
前記コーナキャビネット扉（２７）の運動を制御するための制御装置であって、前記キャビネット本体（１３）に取付け可能なベース部材（４７）、および内位置（４９）と前記扉開口部（２５）の平面から突出する外位置（５０）との間で、前記扉旋回軸線（６０）から離れた制御部材旋回軸線（５９）を中心に旋回可能に前記ベース部材（４７）に支持されている制御部材（４８）を備えており、前記制御部材（４８）は、閉じるときに連結手段（５１）によって前記第２扉要素（３２）と連結可能であり、開くときに、閉段階の終わりと開段階の初めとに前記第２扉要素（３２）の運動を制御するように前記連結手段（５１）によって分離可能である、制御装置と、
前記制御部材（４８）に形成されたガイド溝（６７）であって、前記第２扉要素（３２）の方に向いた前記制御部材（４８）の外面（７２）に向かって開いている口部分（８０）を有するガイド溝（６７）と、
前記ガイド溝（６７）と協働するガイドボルト（６８）であって、前記ガイドボルト（６８）は、前記第２扉要素（３２）とは別個に形成され、前記制御装置（１２）に属する連結要素（１０２）の構成要素であり、前記第２扉要素（３２）が閉じるときに、前記ガイドボルト（６８）が前記ガイド溝（６７）に進入可能であり、そこで前記制御部材（４８）が前記内位置（４９）まで運動すると強制案内され、かつ前記第２扉要素（３２）が開くときに、前記ガイドボルト（６８）が前記ガイド溝（６７）に受け止められ、そこで前記制御部材（４８）が前記外位置（５０）まで運動すると強制案内され、前記制御部材（４８）が前記外位置（５０）にあるときに前記ガイド溝（６７）から進出可能になるように前記第２扉要素（３２）の内面（３９）に取り付けられている、ガイドボルト（６８）と
を備える、コーナキャビネット。
【請求項２】
請求項１に記載のコーナキャビネットであって、
前記制御部材（４８）は、前記内位置（４９）と前記外位置（５０）との間で旋回される
ことを特徴とするコーナキャビネット。
【請求項３】
請求項１または２に記載のコーナキャビネットであって、
前記連結要素（１０２）は、前記第２扉要素（３２）の内面（３９）に着脱可能に取付けられている
ことを特徴とする、コーナキャビネット。
【請求項４】
請求項１〜３のうちのいずれか１項に記載のコーナキャビネットであって、
前記第２扉要素（３２）が連結されていない場合に、前記外位置（５０）にある前記制御部材（４８）をその状態で係止する係止手段（７９）が設けられており、
前記係止手段（７９）は、第２扉要素（３２）と制御部材（４８）とが連結されているときに、前記制御部材（４８）の運動を可能にする係止解除が行われるように形成され、
前記制御部材（４８）には、その外面（７２）に、前記制御部材（４８）が係止された外位置（５０）にあるときに機能する、前記第２扉要素（３２）のためのストッパ面が形成され、
前記係止手段（７９）は、前記制御部材（４８）が外位置（５０）にあり、かつ第２扉要素（３２）が連結されていないときにとる係止位置（８４）と解放位置（８５）との間で移動可能に前記制御部材（４８）に案内された調節要素（８６）を有しており、該調節要素は、前記ガイドボルト（６８）が前記ガイド溝（６７）に進入することによって前記解放位置（８５）へ移行可能である
ことを特徴とする、コーナキャビネット。
【請求項５】
請求項４に記載のコーナキャビネットであって、
前記調節要素（８６）は、前記係止位置（８４）と前記解放位置（８５）との間で直線的に調節可能である調節スライダとして形成されている
ことを特徴とする、コーナキャビネット。
【請求項６】
請求項５に記載のコーナキャビネットであって、
前記調節要素（８６）は、前記係止位置（８４）において、前記ベース部材（４７）に形成されたストッパ受け（６３）と前記制御部材（４８）の可動性を阻止するべく接触する係止ストッパ（９０）とを有する
ことを特徴とする、コーナキャビネット。
【請求項７】
請求項６に記載のコーナキャビネットであって、
前記ベース部材（４７）の前記ストッパ受け（６３）は、前記係止位置（８４）にないときに前記係止ストッパ（９０）を案内するための調節形状（６１）の構成要素である
ことを特徴とする、コーナキャビネット。
【請求項８】
請求項５〜７のうちのいずれか１項に記載のコーナキャビネットであって、
前記調節要素（８６）に復帰手段（９１）が割り当てられており、該復帰手段は、前記第２扉要素（３２）が連結されていないときに前記調節要素（８６）を前記係止位置（８４）に保持する
ことを特徴とする、コーナキャビネット。
【請求項９】
請求項５〜８のうちのいずれか１項に記載のコーナキャビネットであって、
前記調節要素（８６）は、係合開口部（８８）を有し、該係合開口部は、前記調節要素（８６）が前記係止位置（８４）にあるときに前記ガイドボルト（６８）が係合する前記ガイド溝（６７）の口部分（８０）と一直線に並ぶ
ことを特徴とする、コーナキャビネット。
【請求項１０】
請求項９に記載のコーナキャビネットであって、
前記係合開口部（８８）は、刻み目状である
ことを特徴とするコーナキャビネット。
【請求項１１】
請求項１〜１０のうちのいずれか１項に記載のコーナキャビネットであって、
前記制御部材（４８）に割り当てられた減衰装置が、前記制御部材（４８）の前記外位置（５０）から前記内位置（４９）への運動を減衰させるために設けられている
ことを特徴とする、コーナキャビネット。
【請求項１２】
請求項１１に記載のコーナキャビネットであって、
前記減衰装置は、回転ダンパ（６６）を有する
ことを特徴とする、コーナキャビネット。
【請求項１３】
請求項１２に記載のコーナキャビネットであって、
前記回転ダンパ（６６）は、回転運動可能に支持された回転ピストンを有し、該回転ピストンには前記回転運動を導入する歯車（９６）が割り当てられており、
前記制御部材（４８）は、ラック部分（９７）を具備しており、該ラック部分は、前記歯車（９６）と噛合い係合するか、または噛合い係合させることが可能である
ことを特徴とする、コーナキャビネット。
【請求項１４】
請求項１３に記載のコーナキャビネットであって、
前記ラック部分（９７）は、弓形である
ことを特徴とする、コーナキャビネット。
【請求項１５】
請求項１〜１４のうちのいずれか１項に記載のコーナキャビネットであって、
前記コーナキャビネットは、キッチン・コーナ・キャビネットである
ことを特徴とする、コーナキャビネット。
【請求項１６】
請求項１〜１５のうちのいずれか１項に記載のコーナキャビネットであって、
前記閉位置（２８）において、前記内部空間（２４）から離れる方向を向く前記２つの扉要素（３０、３２）の外面（４２、４３）は、前記閉位置（２８）において４５°〜１８０°の範囲であり、かつ前記コーナキャビネット扉（２７）が開いているときに変化させることが可能な外角αを画定し、前記２つの扉要素（３０、３２）間で機能する旋回角制限装置（９８）が設けられており、該旋回角制限装置によって前記２つの扉要素（３０、３２）の互いの旋回範囲が、４５°〜１８０°の範囲の最大外角αに制限される
ことを特徴とする、コーナキャビネット。
【請求項１７】
請求項１６に記載のコーナキャビネットであって、
前記閉位置（２８）における前記外角αは、９０°であり、
前記最大外角αは、１２０°〜１３０°の範囲である
ことを特徴とするコーナキャビネット。
【請求項１８】
請求項１６または１７に記載のコーナキャビネットであって、
前記最大外角αは、１２５°である
ことを特徴とする、コーナキャビネット。